(57)【要約】 【課題】  本発明は、内蔵電源又は外部電源を用いて携帯用電子機器に給電する充電器であり、充電器の充電状況を視覚的に把握できる発光ダイオードを有する充電器の提供を課題とする。【解決手段】内蔵電源と、外部電源から該内蔵電源を充電する充電回路と、内蔵電源からＤＣ/ＤＣコンバーターを介して携帯用電子機器を給電する給電回路と、外部電源から前記ＤＣ/ＤＣコンバーターを介して携帯用電子機器を給電する給電回路とを有すると共にそれぞれの回路には充電表示回路が接続する充電器であり、該充電表示回路は充電状況によるＤＣ/ＤＣコンバーターの消費電流を検出し、消費電流が閾値以上になると発光ダイオードが点灯する充電器からなるものである。【選択図】    図３
2011244541.tif 000002
【特許請求の範囲】
【請求項１】
内蔵電源５と、外部電源から該内蔵電源５を充電する充電回路２と、内蔵電源５からＤＣ/ＤＣコンバーター４を介して携帯用電子機器を給電する給電回路と、外部電源から前記ＤＣ/ＤＣコンバーター４を介して携帯用電子機器を給電する給電回路とを有すると共にそれぞれの回路にはさらに充電表示回路９が接続している充電器であって、
該充電表示回路９は充電状況によるＤＣ/ＤＣコンバーター４の消費電流を検出し、消費電流が閾値以上になると発光ダイオード９２を点灯させるものであることを特徴とする充電器。
【請求項２】
該充電表示回路９はＰＮＰトランジスタ９０と検知用抵抗９１と発光ダイオード９２からなるものであり、
給電すべき携帯用電子機器が接続されて携帯用電子機器の給電の開始に伴うＤＣ/ＤＣコンバーター４のパルス幅変調器４０の消費電流の消費電流の増大を検知用抵抗９１で検出し、閾値以上になるとＰＮＰトランジスタ９０により発光ダイオード９２を点灯させることを特徴とする請求項１記載の充電器。
【発明の詳細な説明】
【技術分野】
【０００１】
本発明は、内蔵電源又は外部電源を用いて携帯電話機・携帯音楽プレイヤー・携帯電子ゲーム機等の携帯用電子機器に給電する充電器であって、充電器の充電状況を検知して発光ダイオードを点灯することのできる充電器に関する。
【背景技術】
【０００２】
従来より充電器においては内蔵電源を有し、これによって携帯用電子機器を充電することは多用されている。
この場合、充電状況を視覚的に把握するために発光ダイオード等を用いるものも存在する。
例えば一般的に多用される方法として図４に示すような構成を用いてスイッチにより駆動させるものがある。
更には特許文献１があり、点灯用ボタンを介して白色発光ダイオードを用いて構成するものである。
又特許文献２においても押釦式常開接点を有してこれがオンされると発光ダイオードが点灯する構成である。
【先行技術文献】
【特許文献】
【０００３】
【特許文献１】特開２００７−２８８９５３号
【特許文献２】特開２００７−１２４８７２号
【発明の概要】
【発明が解決しようとする課題】
【０００４】
以上の様に、充電器の内蔵電源に充電状態等については、発光ダイオードなどで視覚的に確認する手段はある。
しかし、まず図４に示す構成や特許文献１や特許文献２に示す構成はすべてスイッチや点灯用ボタン或いは押釦式常開接点をオンにして初めて通電するものであり、具体的な操作を必要としてしまうものである。
特に図４に示す構成では充電器に携帯用電子機器が接続していなくとも、発光ダイオードが点灯してしまうものである。
従って、この様な構成をとらずとも、充電状況に応じて適切に発光ダイオードが点灯し、視覚的に充電状況を認識しやすくする何らかの充電器の提供が望まれるものである。
【課題を解決するための手段】
【０００５】
係るため請求項１に記載の発明は、内蔵電源と、外部電源から該内蔵電源を充電する充電回路と、内蔵電源からＤＣ/ＤＣコンバーターを介して携帯用電子機器を給電する給電回路と、外部電源から前記ＤＣ/ＤＣコンバーターを介して携帯用電子機器を給電する給電回路とを有すると共にそれぞれの回路に充電表示回路が接続する充電器であって、該充電表示回路は充電状況によるＤＣ/ＤＣコンバーターの消費電流を検出し、消費電流が閾値以上になると発光ダイオードが点灯する充電器からなるものであって、本発明により前記課題を解決できる。
【０００６】
又、請求項２に係る発明は、該充電表示回路はＰＮＰトランジスタと検知用抵抗と発光ダイオードからなるものであり、給電すべき携帯用電子機器が接続されて携帯用電子機器の給電を開始に伴うＤＣ/ＤＣコンバーターのパルス幅変調器の消費電流の消費電流の増大を検知用抵抗で検出し、閾値以上になるとＰＮＰトランジスタにより発光ダイオードが点灯する充電器からなり、係る構成によっても前記課題を解決できる。
【発明の効果】
【０００７】
以上のように構成したことからまず請求項１に係る発明により、まず簡単な構成で充電状況を視覚的に把握するための発光ダイオードの点灯を行えることとなる。
本構成は充電時のＤＣ/ＤＣコンバーターの消費電流の増加を検知して、あらかじめ定めることのできる閾値を決めて、その閾値に該当する状況時に発光ダイオードの点灯を可能とするものであり、応用範囲の広い充電器の提供を可能とするものである。
【０００８】
又、請求項２に係る発明によれば、ＤＣ/ＤＣコンバーターのパルス幅変調器の消費電流の消費電流の増大を検知用抵抗で検知することによりＰＮＰトランジスタをオンとして、発光ダイオード側に通電して発光させることができるものである。
従って、極めてコンパクトでかつ信頼性の高い充電表示回路を有する充電器を提供できる。
【図面の簡単な説明】
【０００９】
【図１】本発明に係る充電器の回路の一例を示す図
【図２】本発明に係る充電器の電圧制御スイッチの回路の一例を示す図
【図３】本発明に係る充電器のＤＣ/ＤＣコンバーターと充電表示回路の一例を示す図
【図４】従来の充電器の回路の一例を示す図
【発明を実施するための形態】
【００１０】
図１は、本発明に係る充電器の回路構成の一例を示す図である。
本図に示すように、充電器には外部電源８を接続可能とすると共に更に携帯用電子機器に接続可能な出力部７を有する。
外部電源８は充電回路２を経て内蔵電源５に接続しており、外部電源８から内蔵電源５に充電可能に構成されている。
更に外部電源８及び内蔵電源５から電圧制御スイッチ３を経て更にＤＣ/ＤＣコンバーター４により昇圧して携帯用電子機器に給電を行うものである。
【００１１】
この際に充電表示回路９を経ているものであり、更にこれは充電状況を視覚的に表示するものである。
例えば携帯用電子機器の内部電源への充電状況が明確に判明するものである。
以上より、外部電源８及び内蔵電源５から携帯用機器に給電でき、更には充電表示回路９により外部より充電状況が視認可能となる。
この場合、外部電源８からは直接電圧制御スイッチ３に接続して内蔵電源５と外部電源８の電圧差の検知可能とすると共に、外部電源から逆流防止ダイオード６を経て直接ＤＣ/ＤＣコンバーター４及び充電表示回路９に接続して携帯用電子機器に給電可能とする。
【００１２】
尚、ＤＣ/ＤＣコンバーター４は、昇圧型を前提として明示したが、これに限らず降圧型のＤＣ/ＤＣコンバーターを用いてももちろんよい。
以上のように、本図に示す通り、内蔵電源５と、外部電源８から該内蔵電源５を充電する充電回路２と、内蔵電源５からＤＣ/ＤＣコンバーター４を介して携帯用電子機器を充電する給電回路と、外部電源８ら携帯用電子機器に給電する給電回路とを有するものであり、それぞれの回路にはさらに充電表示回路９が接続している。
【００１３】
例えばこの充電表示回路９は、充電状況に関して消費電流が閾値以上となる場合に充電表示がなされる充電表示回路を有するものであってよい。
これは例えば発光ダイオード等の点灯により行うものである。
又、内蔵電源５からＤＣ/ＤＣコンバーター４を介して携帯用電子機器に給電する給電回路と、外部電源８から携帯用電子機器に給電する給電回路の切りかえは電圧制御スイッチ３により行うものである。
【００１４】
図２は、図１に示す給電回路を詳細に明示した一例を示す図である。
本図に示すようにまず電圧制御スイッチにより内蔵電源からの給電回路と外部電源からの給電回路は次のように切り替えられる。
まず内蔵電源５はコンパレータ３０のＶ−に接続しており、外部電源８はコンパレータ３０のＶ＋に接続する。
又、内蔵電源５はコンパレータ３０のＶｓ＋、Ｖｓ−に接続している。
【００１５】
従って非反転入力であるコンパレータ３０のＶ＋の電圧が反転入力であるコンパレータ３０のＶ−の電圧よりも高い場合にはコンパレータ３０の出力がＨとなり、ｐＭＯＳトランジスタ３１のゲートに電圧がかかることになり、オフとなる。
即ち外部電源８が入力された場合には、コンパレータ３０のＶ＋の電圧が反転入力であるコンパレータ３０のＶ−の電圧よりも高くなるものであり、ｐＭＯＳトランジスタ３１のゲートに電圧がかかり、内蔵電源からの出力は遮断される。
【００１６】
従って、外部電源８からの出力によりＤＣ/ＤＣコンバーター４を経て給電されると共に充電表示回路９により充電状況が表示されるものとなる。
尚、この場合、逆流防止ダイオード６を経てＤＣ/ＤＣコンバーター４へ導いているものである。
逆に、非反転入力であるコンパレータ３０のＶ＋の電圧が反転入力であるコンパレータ３０のＶ−の電圧よりも低い場合にはコンパレータ３０の出力がＬとなるものであり、ｐＭＯＳトランジスタ３１のゲートには電圧が加えられないことから、内蔵電源５からＤＣ/ＤＣコンバーター４を経て給電されると共に充電表示回路９により充電状況が表示されるものこととなる。
【００１７】
従って内蔵電源５からＤＣ/ＤＣコンバーター４を介して携帯用電子機器に給電し充電する給電回路と、外部電源８からＤＣ/ＤＣコンバーター４を介して携帯用電子機器に給電し充電する給電回路とを電圧制御スイッチ３により切り替え可能に有し、いずれかの給電回路により給電する場合には充電表示回路９により充電状況が表示できるものである。
外部電源８を接続していない場合には内蔵電源５からＤＣ/ＤＣコンバーター４を経て給電するものである。
【００１８】
以上より内蔵電源５と外部電源８からのそれぞれの入力を検知する電圧制御スイッチ３を有しており、内蔵電源５からの入力の電圧が高い場合にはそのまま内蔵電源５から携帯用電子機器に給電するものであり、外部電源８からの入力の電圧が高い場合或いは外部電源８からの入力の電圧が高くなった場合には内蔵電源５からの給電を遮断して外部電源８からの給電を携帯用電子機器に対して行うものであり、この様な給電時における給電状況を充電表示回路９で表示する。
【００１９】
図３は、充電表示回路９の具体的回路構成の一例を示す。
まず電圧制御スイッチ３を経て、内蔵電源５又は外部電源８からＤＣ/ＤＣコンバーター４のパルス幅変調器４０に接続するものである。
この場合パルス幅変調器４０のＶｄｄは検知用抵抗９１を介して携帯用電子機器の接続端子の＋側にＰＮＰトランジスタ９０のエミッタと接続し、他端側はＰＮＰトランジスタ９０のベースと接続する。
【００２０】
更にＰＮＰトランジスタ９０のコレクタは電流制御抵抗９３を介して発光ダイオード９２に接続している。
該発光ダイオード９２の他端側は携帯用電子機器の接続端子の−側に接続する。
又、パルス幅変調器４０のＤＲはｎＭＯＳトランジスタ４１に接続する。
以上より、まず出力として携帯用電子機器が接続されて充電を開始すると、ＤＣ/ＤＣコンバーター４のパルス幅変調器４０の消費電流が大きくなる。
【００２１】
この電流を検知用抵抗９１で検出し、ＰＮＰトランジスタ９０をオンにして、エミッタからコレクタ側に増幅電流を生じさせて発光ダイオード９２が点灯し発光する。
尚、電流制御抵抗９３は発光ダイオード９２の電流を制御するものである。
従って、検知用抵抗９１により閾値を定めることができ、ＤＣ/ＤＣコンバーター４の消費電流を検出して消費電流が閾値以上になると発光ダイオード９２を点灯することができものであり、任意の閾値をとることができる。
【００２２】
以上より、充電表示回路として充電状況によるＤＣ/ＤＣコンバーター４の消費電流を検出し、消費電流が閾値以上になると発光ダイオード９２を点灯する充電器を用いるものであればよく、例えば該充電表示回路９としてＰＮＰトランジスタ９０と検知用抵抗９１と発光ダイオード９２を有し、給電すべき携帯用電子機器が接続されて携帯用電子機器の給電の開始に伴うＤＣ/ＤＣコンバーター４のパルス幅変調器４０の消費電流の増大を検知用抵抗９１で検出し、閾値以上になるとＰＮＰトランジスタ９０により発光ダイオード９２が点灯する充電器であればよい。
【００２３】
尚、本発明中における外部電源は電池類のほかＡＣ電源を用いるものであってもよく、この場合には当然 ＡＣ/ＤＣコンバーターを用いて本回路に給電するものである。
或いは太陽電池即ちソーラーパネル等からの給電を行うものであっても、或いは他の発電手段から給電するものであってもよい。
【００２４】
内蔵電源５に関しては、充電器に内蔵する電源をいい、二次電池を用いるものであり、各種電池を用いるものであってよい。
次に携帯用電子機器とは、携帯電話、携帯用電子ゲーム機、携帯用音楽プレイヤー、その他各種携帯できる電子機器に用いるものであり、卓上計算機や携帯用計測器等各種のものに用いるものであってよい。
【符号の説明】
【００２５】
１  充電器
２  充電回路
３  電圧制御スイッチ
４  ＤＣ/ＤＣコンバーター
４０  パルス幅変調器
４１  ｎＭＯＳトランジスタ
５  内蔵電源
６  逆流防止ダイオード
７  接続端子
８  外部電源
９  充電表示回路
９０  ＰＮＰトランジスタ
９１  検知用抵抗
９２  発光ダイオード
９３  電流制御抵抗
【図１】
2011244541.tif 000003
【図２】
2011244541.tif 000004
【図３】
2011244541.tif 000005
【図４】
2011244541.tif 000006